(57)【特許請求の範囲】
【請求項１】
無線通信システムにおいて動作する端末（ＵＥ）のための方法であって、前記方法は、
マスターｅｎｈａｎｃｅｄ−ＮｏｄｅＢ（ＭｅＮＢ）に対応する第１のＭｅｄｉｕｍ  Ａｃｃｅｓｓ  Ｃｏｎｔｒｏｌ（ＭＡＣ）エンティティと、補助ｅＮＢ（ＳｅＮＢ）に対応する第２のＭＡＣエンティティとを前記ＵＥに設定することと、
条件が満たされている場合に、前記第１のＭＡＣエンティティにより、前記ＭｅＮＢに対するパワーヘッドルーム報告（ＰＨＲ）をトリガリングすることと、
前記第１のＭＡＣエンティティにより、前記トリガリングされたＰＨＲに対するＰＨＲ  ＭＡＣ制御要素（ＣＥ）を前記ＭｅＮＢに送信することと
を含み、
前記条件は、前記第２のＭＡＣエンティティの任意のセル上の上りリンク（ＵＬ）送信が存在し、前記第２のＭＡＣエンティティの前記任意のセルに対する要求されるパワーバックオフが閾値を超えて変化していることを含む、方法。
【請求項２】
前記第２のＭＡＣエンティティの任意のセルに対する前記要求されるパワーバックオフは、前記第２のＭＡＣエンティティが前記ＳｅＮＢへの送信のために割り当てられたＵＬリソースを有していたときの最後のＰＨＲ送信以後、前記閾値を超えて変化している、請求項１に記載の方法。
【請求項３】
前記第１のＭＡＣエンティティおよび前記第２のＭＡＣエンティティは、無線ベアラーと関連している、請求項１に記載の方法。
【請求項４】
前記第２のＭＡＣエンティティの任意のセル上の上りリンク（ＵＬ）送信が存在し、前記第２のＭＡＣエンティティの前記任意のセルに対する要求されるパワーバックオフが閾値を超えて変化している場合に、前記第２のＭＡＣエンティティにより、前記ＳｅＮＢに対するＰＨＲをトリガリングすることと、
前記第２のＭＡＣエンティティにより、前記トリガリングされたＰＨＲに対するＰＨＲ  ＭＡＣ制御要素（ＣＥ）を前記ＳｅＮＢに送信することと
をさらに含む、請求項１に記載の方法。
【請求項５】
無線通信システムにおいて動作する端末（ＵＥ）であって、前記ＵＥは、
Ｒａｄｉｏ  Ｆｒｅｑｕｅｎｃｙ（ＲＦ）モジュールと、
前記ＲＦモジュールと動作可能に結合されたプロセッサと
を含み、
前記プロセッサは、
マスターｅｎｈａｎｃｅｄ−ＮｏｄｅＢ（ＭｅＮＢ）に対応する第１のＭｅｄｉｕｍ  Ａｃｃｅｓｓ  Ｃｏｎｔｒｏｌ（ＭＡＣ）エンティティと、補助ｅＮＢ（ＳｅＮＢ）に対応する第２のＭＡＣエンティティとを設定することと、
条件が満たされている場合に、前記第１のＭＡＣエンティティにより、前記ＭｅＮＢに対するパワーヘッドルーム報告（ＰＨＲ）をトリガリングすることと、
前記第１のＭＡＣエンティティにより、前記トリガリングされたＰＨＲに対するＰＨＲ  ＭＡＣ制御要素（ＣＥ）を前記ＭｅＮＢに送信することと
を行うように構成されており、
前記条件は、前記第２のＭＡＣエンティティの任意のセル上の上りリンク（ＵＬ）送信が存在し、前記第２のＭＡＣエンティティの前記任意のセルに対する要求されるパワーバックオフが閾値を超えて変化していることを含む、ＵＥ。
【請求項６】
前記第２のＭＡＣエンティティの任意のセルに対する前記要求されるパワーバックオフは、前記第２のＭＡＣエンティティが前記ＳｅＮＢへの送信のために割り当てられたＵＬリソースを有していたときの最後のＰＨＲ送信以後、前記閾値を超えて変化している、請求項５に記載のＵＥ。
【請求項７】
前記第１のＭＡＣエンティティおよび前記第２のＭＡＣエンティティは、無線ベアラーと関連している、請求項５に記載のＵＥ。
【請求項８】
前記プロセッサは、さらに、
前記第２のＭＡＣエンティティの任意のセル上の上りリンク（ＵＬ）送信が存在し、前記第２のＭＡＣエンティティの前記任意のセルに対する要求されるパワーバックオフが閾値を超えて変化している場合に、前記第２のＭＡＣエンティティにより、前記ＳｅＮＢに対するＰＨＲをトリガリングすることと、
前記第２のＭＡＣエンティティにより、前記トリガリングされたＰＨＲに対するＰＨＲ  ＭＡＣ制御要素（ＣＥ）を前記ＳｅＮＢに送信することと
を行うように構成されている、請求項５に記載のＵＥ。
【発明の詳細な説明】
【技術分野】
【０００１】
本発明は無線通信システムに関するもので、より詳しくは二重連結システムにおけるパワーヘッドルーム報告をトリガリングする方法及びこのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
本発明の課題は二重連結システムにおけるパワーヘッドルーム報告をトリガリングする方法及び装置の問題点を解決するために創案されたものである。本発明で解決しようとする技術的課題は以上で言及した技術的課題に制限されなく、言及しなかった他の技術的課題は下記の記載から本発明が属する技術分野で通常の知識を有する者に明らかに理解可能である。
【課題を解決するための手段】
【０００８】
本発明の目的は、無線通信システムで動作する端末（ｕｓｅｒ  ｅｑｕｉｐｍｅｎｔ）に対する方法であって、ｅＮＢ（ｅｎｈａｎｃｅｄ−ＮｏｄｅＢ）にそれぞれ対応する複数のＭｅｄｉｕｍ  Ａｃｃｅｓｓ  Ｃｏｎｔｒｏｌ（ＭＡＣ）エンティティを設定する段階；前記複数のＭＡＣエンティティの一つのＭＡＣエンティティでパワーヘッドルーム報告（ｐｏｗｅｒ  ｈｅａｄｒｏｏｍ  ｒｅｐｏｒｔｉｎｇ；ＰＨＲ）をトリガリングするためのイベントが発生する段階；前記イベントのタイプが第１イベントタイプである場合、前記ＭＡＣエンティティを含む前記複数のＭＡＣエンティティでＰＨＲをトリガリングする段階；及び前記イベントタイプが第２イベントタイプである場合、前記ＭＡＣエンティティでＰＨＲをトリガリングする段階を含む、方法を提供することによって達成できる。
【０００９】
本発明の他の態様において、無線通信システムで動作する端末（ｕｓｅｒ  ｅｑｕｉｐｍｅｎｔ）に対する方法であって、第１ＭＡＣ（Ｍｅｄｉｕｍ  Ａｃｃｅｓｓ  Ｃｏｎｔｒｏｌ）エンティティ及び第２ＭＡＣエンティティを設定する段階；及び前記第１ＭＡＣエンティティのｐｒｏｈｉｂｉｔＰＨＲ−タイマーが満了する場合、前記第２ＭＡＣエンティティでパワーヘッドルーム報告（ｐｏｗｅｒ  ｈｅａｄｒｏｏｍｒｅ  ｐｏｒｔｉｎｇ；ＰＨＲ）をトリガリングする段階を含む、方法が提供される。
【００１０】
本発明の他の態様において、無線通信システムで動作する端末（ｕｓｅｒ  ｅｑｕｉｐｍｅｎｔ）に対する方法であって、第１ＭＡＣ（Ｍｅｄｉｕｍ  Ａｃｃｅｓｓ  Ｃｏｎｔｒｏｌ）エンティティ及び第２ＭＡＣエンティティを設定する段階；及び前記第１ＭＡＣエンティティに対する少なくとも一つのＳＣｅｌｌが非活性状態から活性化状態に変更される場合、前記第２ＭＡＣエンティティでパワーヘッドルーム報告（ｐｏｗｅｒ  ｈｅａｄｒｏｏｍｒｅ  ｐｏｒｔｉｎｇ；ＰＨＲ）をトリガリングする段階を含む、方法が提供される。
【００１１】
好ましくは、前記第１イベントタイプは次イベントの少なくとも一つを含む：前記ＭＡＣエンティティのｐｒｏｈｉｂｉｔＰＨＲ−タイマーが満了するとか満了したとかあるいは最後のＰＨＲが閾値を超えるため経路損失が変更したイベント、前記ＭＡＣエンティティに属する、上りリンクが設定されたＳＣｅｌｌが活性化するイベント、又は前記端末が対応ｅＮＢへの新たな送信のための上りリンクリソースを有するとき、前記ＭＡＣエンティティのｐｒｏｈｉｂｉｔＰＨＲ−タイマーが満了するとか満了したイベント。
【００１２】
好ましくは、前記第２イベントタイプは次のイベントの少なくとも一つを含む：前記ＭＡＣエンティティのｐｅｒｉｏｄｉｃＰＨＲ−タイマーが満了するイベント、又は上位階層によって前記ＭＡＣエンティティに対するパワーヘッドルーム制御機能を設定するとか再設定し、前記機能を不能化するのに使われないイベント。
【００１３】
好ましくは、前記第１イベントタイプはセル状態変更に関連する。
【００１４】
好ましくは、前記第１イベントタイプはＰＳＣｅｌｌ（Ｐｒｉｍａｒｙ  Ｓｅｃｏｎｄａｒｙ  Ｃｅｌｌ）が付け加えられるイベントをさらに含む。
【００１５】
好ましくは、前記方法は、前記イベントのタイプが前記第１イベントタイプである場合、ＭＡＣエンティティに対応する複数のＰＨＲ  ＭＡＣ  ＣＥ（Ｃｏｎｔｒｏｌ  Ｅｌｅｍｅｎｔ）を生成する段階；及び前記複数のＰＨＲ  ＭＡＣ  ＣＥをそれぞれｅＮＢに送信する段階をさらに含む。
【００１６】
好ましくは、前記方法は、前記イベントのタイプが前記第２イベントタイプである場合、前記ＭＡＣエンティティのための一つのＰＨＲ  ＭＡＣ  ＣＥ（Ｃｏｎｔｒｏｌ  Ｅｌｅｍｅｎｔ）を生成する段階；及び前記ＰＨＲ  ＭＡＣ  ＣＥを対応ｅＮＢに送信する段階をさらに含む。
【００１７】
前述した一般的な説明と次の本発明の詳細な説明は、例示的でかつ説明するためのものであって、本発明の追加の説明を提供するためのものと意図されることを理解しなければならない。
例えば、本願発明は以下の項目を提供する。
（項目１）
無線通信システムで動作する端末（ｕｓｅｒ  ｅｑｕｉｐｍｅｎｔ）に対する方法であって、
ｅＮＢ（ｅｎｈａｎｃｅｄ−ＮｏｄｅＢ）にそれぞれ対応する複数のＭｅｄｉｕｍ  Ａｃｃｅｓｓ  Ｃｏｎｔｒｏｌ（ＭＡＣ）エンティティを設定する段階；
前記複数のＭＡＣエンティティの一つのＭＡＣエンティティでパワーヘッドルーム報告（ｐｏｗｅｒ  ｈｅａｄｒｏｏｍ  ｒｅｐｏｒｔｉｎｇ；ＰＨＲ）をトリガリングするためのイベントが発生する段階；
前記イベントのタイプが第１イベントタイプである場合、前記ＭＡＣエンティティを含む前記複数のＭＡＣエンティティでＰＨＲをトリガリングする段階；及び
前記イベントタイプが第２イベントタイプである場合、前記ＭＡＣエンティティでＰＨＲをトリガリングする段階を含む、方法。
（項目２）
前記第１イベントタイプは次イベントの少なくとも一つを含む、項目１に記載の方法：
前記ＭＡＣエンティティのｐｒｏｈｉｂｉｔＰＨＲ−タイマーが満了するとか満了したとかあるいは最後のＰＨＲが閾値を超えるため経路損失が変更したイベント、
前記ＭＡＣエンティティに属する、上りリンクが設定されたＳＣｅｌｌが活性化するイベント、又は
前記端末が対応ｅＮＢへの新たな送信のための上りリンクリソースを有するとき、前記ＭＡＣエンティティのｐｒｏｈｉｂｉｔＰＨＲ−タイマーが満了するとか満了したイベント。
（項目３）
前記第２イベントタイプは次のイベントの少なくとも一つを含む、項目１に記載の方法：前記ＭＡＣエンティティのｐｅｒｉｏｄｉｃＰＨＲ−タイマーが満了するイベント、又は上位階層によって前記ＭＡＣエンティティに対するパワーヘッドルーム制御機能を設定するとか再設定し、前記機能を不能化するのに使われないイベント。
（項目４）
前記第１イベントタイプはセル状態変更に関連するイベントを含む、項目１に記載の方法。
（項目５）
前記第１イベントタイプはＰＳＣｅｌｌ（Ｐｒｉｍａｒｙ  Ｓｅｃｏｎｄａｒｙ  Ｃｅｌｌ）が付け加えられるイベントをさらに含む、項目２に記載の方法。
（項目６）
前記イベントのタイプが前記第１イベントタイプである場合、ＭＡＣエンティティに対応する複数のＰＨＲ  ＭＡＣ  ＣＥ（Ｃｏｎｔｒｏｌ  Ｅｌｅｍｅｎｔ）を生成する段階；及び
前記複数のＰＨＲ  ＭＡＣ  ＣＥをそれぞれｅＮＢに送信する段階をさらに含む、項目１に記載の方法。
（項目７）
前記イベントのタイプが前記第２イベントタイプである場合、前記ＭＡＣエンティティのための一つのＰＨＲ  ＭＡＣ  ＣＥ（Ｃｏｎｔｒｏｌ  Ｅｌｅｍｅｎｔ）を生成する段階；及び
前記ＰＨＲ  ＭＡＣ  ＣＥを対応ｅＮＢに送信する段階をさらに含む、項目１に記載の方法。
（項目８）
無線通信システムで動作する端末（ｕｓｅｒ  ｅｑｕｉｐｍｅｎｔ）に対する方法であって、
第１ＭＡＣ（Ｍｅｄｉｕｍ  Ａｃｃｅｓｓ  Ｃｏｎｔｒｏｌ）エンティティ及び第２ＭＡＣエンティティを設定する段階；及び
前記第１ＭＡＣエンティティのｐｒｏｈｉｂｉｔＰＨＲ−タイマーが満了する場合、前記第２ＭＡＣエンティティでパワーヘッドルーム報告（ｐｏｗｅｒ  ｈｅａｄｒｏｏｍｒｅ  ｐｏｒｔｉｎｇ；ＰＨＲ）をトリガリングする段階を含む、方法。
（項目９）
無線通信システムで動作する端末（ｕｓｅｒ  ｅｑｕｉｐｍｅｎｔ）に対する方法であって、
第１ＭＡＣ（Ｍｅｄｉｕｍ  Ａｃｃｅｓｓ  Ｃｏｎｔｒｏｌ）エンティティ及び第２ＭＡＣエンティティを設定する段階；及び
前記第１ＭＡＣエンティティに対する少なくとも一つのＳＣｅｌｌが非活性状態から活性化状態に変更される場合、前記第２ＭＡＣエンティティでパワーヘッドルーム報告（ｐｏｗｅｒ  ｈｅａｄｒｏｏｍｒｅ  ｐｏｒｔｉｎｇ；ＰＨＲ）をトリガリングする段階を含む、方法。
（項目１０）
項目１〜９のいずれか一項の方法を遂行するようになった、通信装置。
【発明の効果】
【００１８】
本発明によれば、二重連結システムにおけるパワーヘッドルーム報告に対するトリガリングを効果的に遂行することができる。特に、端末が、二重連結システムにおけるパワーヘッドルーム報告をトリガリングするためのイベントタイプによって、端末に設定された対応ＭＡＣエンティティ又は全てのＭＡＣエンティティでパワーヘッドルーム報告をトリガリングすることができる。
【００１９】
本明細書に添付する図面は、本発明に関する理解を提供するためのものであり、本発明の様々な実施の形態を示し、明細書の記載と共に本発明の原理を説明するためのものである。
【図面の簡単な説明】
【００２０】
本明細書に添付する図面は、本発明に関する理解を提供するためのものであり、本発明の様々な実施の形態を示し、明細書の記載と共に本発明の原理を説明するためのものである。
【図１】無線通信システムの一例であり、Ｅ―ＵＭＴＳネットワーク構造を概略的に示す図である。
【図２Ａ】図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図であり、図２Ｂは、一般的なＥ―ＵＴＲＡＮとＥＰＣの構造を示すブロック図である。
【図２Ｂ】図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図であり、図２Ｂは、一般的なＥ―ＵＴＲＡＮとＥＰＣの構造を示すブロック図である。
【図３】３ＧＰＰ無線接続網規格に基づく端末とＥ―ＵＴＲＡＮとの間における無線インタフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）の構造を示す図である。
【図４】Ｅ―ＵＭＴＳシステムで用いられる物理チャネル構造の一例を示す図である。
【図５】本発明の実施例に係る通信装置を示すブロック図である。
【図６】搬送波集成を示す図である。
【図７】マスターセルグループ（Ｍａｓｔｅｒ  Ｃｅｌｌ  Ｇｒｏｕｐ、ＭＣＧ）と補助セルグループ（Ｓｅｃｏｎｄａｒｙ  Ｃｅｌｌ  Ｇｒｏｕｐ、ＳＣＧ）の間の二重連結性（ｄｕａｌ  ｃｏｎｎｅｃｔｉｖｉｔｙ）の概念図である。
【図８】図８ａは二重連結性に関連する基地局の制御平面（Ｃｏｎｔｒｏｌ  Ｐｌａｎｅ、Ｃ−Ｐｌａｎｅ）連結性の概念図、図８ｂは二重連結性に関連する基地局の使用者平面（Ｕｓｅｒ  Ｐｌａｎｅ、Ｕ−Ｐｌａｎｅ）連結性の概念図である。
【図９】二重連結性のための無線プロトコル構造の概念図である。
【図１０】下りリンクに対するＬＴＥプロトコル構造の概略図である。
【図１１】バッファー状態及びパワーヘッドルーム（ｐｏｗｅｒ−ｈｅａｄｒｏｏｍ）報告のシグナリングに対する図である。
【図１２】ＰＨＲ  ＭＡＣ  ＣＥ（Ｐｏｗｅｒ  Ｈｅａｄｒｏｏｍ  Ｒｅｐｏｒｔｉｎｇ  ＭＡＣ  Ｃｏｎｔｒｏｌ  ＣＥ）の概念図である。
【図１３】拡張されたＰＨＲ  ＭＡＣ  ＣＥ（Ｅｘｔｅｎｄｅｄ  Ｐｏｗｅｒ  Ｈｅａｄｒｏｏｍ  Ｒｅｐｏｒｔｉｎｇ  ＭＡＣ  Ｃｏｎｔｒｏｌ  ＣＥ）の概念図である。
【図１４】本発明の実施例による二重連結システム（ｄｕａｌ  ｃｏｎｎｅｃｔｉｖｉｔｙ  ｓｙｓｔｅｍ）におけるＰＨＲのトリガリングに対する概念図である。
【図１５】本発明の実施例による二重連結システム（ｄｕａｌ  ｃｏｎｎｅｃｔｉｖｉｔｙ  ｓｙｓｔｅｍ）において第１タイプに相当するＰＨＲトリガリングに対する概念図である。
【図１６】本発明の実施例による二重連結システム（ｄｕａｌ  ｃｏｎｎｅｃｔｉｖｉｔｙ  ｓｙｓｔｅｍ）において第１タイプに相当するＰＨＲトリガリングに対する概念図である。
【発明を実施するための形態】
【００２１】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００２２】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００２３】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２４】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００２５】
図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２６】
図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２７】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２８】
図２Ｂは、一般的なＥ―ＵＴＲＡＮと一般的なＥＰＣの構造を示すブロック図である。
【００２９】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００３０】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００３１】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３２】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００３３】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００３４】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００３５】
図３は、３ＧＰＰ無線接続網規格に基づく端末とＥ―ＵＴＲＡＮとの間の無線インタフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３６】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３８】
第３層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３９】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００４０】
Ｅ―ＵＴＲＡＮから端末への送信のための下りリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００４１】
端末からネットワークにデータを送信する上りリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００４２】
図４は、Ｅ―ＵＭＴＳシステムで使用する物理チャネル構造の一例を示した図である。物理チャネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当のサブフレームの特定シンボル（例えば、１番目のシンボル）の特定サブキャリアを用いることができる。図４には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である送信時間間隔（Ｔｒａｎｓｍｉｓｓｉｏｎ  Ｔｉｍｅ  Ｉｎｔｅｒｖａｌ、ＴＴＩ）は１ｍｓである。
【００４３】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００４４】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定サブフレームを通じて送信されると仮定する。この場合、セル内の端末は、自身が有しているＲＮＴＩ情報を用いてＰＤＣＣＨをモニタし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００４５】
図５は、本発明の実施例に係る通信装置のブロック図である。
【００４６】
図５に示された装置は、前述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４７】
図５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカー１４５及び入力デバイス１５０をさらに含むこともできる。
【００４８】
特に、図５は、ネットワークから要求メッセージを受信するように構成された受信機１３５、及びネットワークに送／受信タイミング情報を送信するように構成された送信機１３５を含む端末を示してもよい。このような受信機と送信機は送受信機１３５を構成できる。端末は、送受信機（受信機及び送信機）１３５に接続されたプロセッサ１１０をさらに含むこともできる。
【００４９】
また、図５は、端末に要求メッセージを送信するように構成された送信機１３５、及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００５０】
図６は搬送波集成（ｃａｒｒｉｅｒ  ａｇｇｒｅｇａｔｉｏｎ）を示す図である。
【００５１】
図６を参照して多重搬送波を支援する搬送波集成技術について説明する。前述したように、搬送波集成によって既存の無線通信システム（例えば、ＬＴＥシステム）で定義される帯域幅単位（例えば、２０ＭＨｚ）の搬送波（構成搬送波、ＣＣ）を最大５個束ねて最大１００ＭＨｚまでのシステム帯域幅を支援することができる。搬送波集成に用いられる構成搬送波の帯域幅の大きさは互いに同一であっても異なってもよい。また、それぞれの構成搬送波は異なった周波数帯域（又は中心周波数）を有する。また、それぞれの構成搬送波は連続的な周波数帯域上に存在することもできるが、不連続的な周波数帯域上に存在する構成搬送波を搬送波集成に用いることもできる。また、搬送波集成技術において、上りリンクと下りリンクの帯域幅大きさが対称的に割り当てられることも、非対称的に割り当てられることもできる。
【００５２】
搬送波集成に用いられる多重搬送波（構成搬送波）は主構成搬送波（Ｐｒｉｍａｒｙ  Ｃｏｍｐｏｎｅｎｔ  Ｃａｒｒｉｅｒ；ＰＣＣ）及び補助構成搬送波（Ｓｅｃｏｎｄａｒｙ  Ｃｏｍｐｏｎｅｎｔ  Ｃａｒｒｉｅｒ；ＳＣＣ）に分類できる。ＰＣＣはＰセル（ＰＣｅｌｌ；Ｐｒｉｍａｒｙ  Ｃｅｌｌ）と言うこともでき、ＳＣＣはＳセル（ＳＣｅｌｌ；Ｓｅｃｏｎｄａｒｙ  Ｃｅｌｌ）と言うこともできる。主構成搬送波は、基地局が端末とトラフィック及び制御シグナリングを交換するために用いる搬送波である。制御シグナリングには、構成搬送波の付加、主構成搬送波に対する設定、上りリンクグラント（ＵＬ  ｇｒａｎｔ）又は下りリンク割当て（ＤＬ  ａｓｓｉｇｎｍｅｎｔ）などを含むことができる。基地局で複数の構成搬送波が用いることができるが、その基地局に属する端末は一つの主構成搬送波のみを有するものに設定されることもできる。端末が単一搬送波モードで動作する場合には主構成搬送波が用いられる。よって、主構成搬送波は独立的にも用いられるように基地局と端末の間のデータ及び制御シグナリングの交換に必要な全ての要求事項を満たすように設定されなければならない。
【００５３】
一方、補助構成搬送波は送受信されるデータ要求量などによって活性化するかあるいは非活性化することができる付加的な構成搬送波である。補助構成搬送波は基地局から受信される特定の命令及び規則に従ってのみ使われるように設定されることもできる。また、補助構成搬送波は付加的な帯域幅を支援するために主構成搬送波と一緒に用いられるように設定されることもできる。活性化した補助構成搬送波を介して、基地局から端末に上りリンクグラント又は下りリンク割当てのような制御信号が受信されることができ、端末から基地局にチャネル品質指示子（Ｃｈａｎｎｅｌ  Ｑｕａｌｉｔｙ  Ｉｎｄｉｃａｔｏｒ；ＣＱＩ）、プレコーディング行列指示子（Ｐｒｅｃｏｄｉｎｇ  Ｍａｔｒｉｘ  Ｉｎｄｅｘ；ＰＭＩ）、ランク指示者（Ｒａｎｋ  Ｉｎｄｉｃａｔｏｒ；ＲＩ）、サウンディング参照信号（Ｓｏｕｎｄｉｎｇ  Ｒｅｆｅｒｅｎｃｅ  Ｓｉｇｎａｌ；ＳＲＳ）などの上りリンクを介した制御信号が送信されることができる。
【００５４】
端末に対するリソース割当ては主構成搬送波及び複数の補助構成搬送波の範囲を有することができる。多重搬送波集成モードにおいて、システムはシステム負荷（つまり、静的／動的負荷バランシング）、ピークデータレート、又はサービス品質要求に基づいて、下りリンク及び／又は上りリンクに非対称的に補助構成搬送波を端末に割り当てることもできる。搬送波集成技術を用いるに際して、構成搬送波に対する設定はＲＲＣ連結手順（ＲＲＣ  ｃｏｎｎｅｃｔｉｏｎ  ｐｒｏｃｅｄｕｒｅ）以後に基地局から端末に提供される。ＲＲＣ連結は、ＳＲＢを介して端末のＲＲＣ階層とネットワークの間で交換されるＲＲＣシグナリングに基づいて端末に無線リソースが割り当てられることを意味する。端末と基地局のＲＲＣ連結手順の後に、端末は基地局から主構成搬送波及び補助構成搬送波に対する設定情報を受けることができる。補助構成搬送波に対する設定情報は補助構成搬送波の付加／削除（又は活性化／非活性化）を含むことができる。したがって、基地局と端末の間に補助構成搬送波を活性化させるか既存の補助構成搬送波を非活性化させるためには、ＲＲＣシグナリング及びＭＡＣ制御要素（ＭＡＣ  Ｃｏｎｔｒｏｌ  Ｅｌｅｍｅｎｔ）の交換を遂行する必要がある。
【００５５】
補助構成搬送波の活性化又は非活性化は、サービス品質（ＱｏＳ）、搬送波の負荷条件及び他の要因に基づいて基地局によって決定されることができる。基地局は、下りリンク／上りリンクに対する指示類型（活性化／非活性化）及び補助構成搬送波リストなどの情報を含む制御メッセージを用いて端末に補助構成搬送波設定を指示することができる。
【００５６】
図７はマスターセルグループ（Ｍａｓｔｅｒ  Ｃｅｌｌ  Ｇｒｏｕｐ、ＭＣＧ）と補助セルグループ（Ｓｅｃｏｎｄａｒｙ  Ｃｅｌｌ  Ｇｒｏｕｐ、ＳＣＧ）の間の二重連結性（ｄｕａｌ  ｃｏｎｎｅｃｔｉｖｉｔｙ）に対する概念図である。
【００５７】
二重連結性（ｄｕａｌ  ｃｏｎｎｅｃｔｉｖｉｔｙ）は端末がマスターｅＮＢ（ＭｅＮＢ）と補助ｅＮＢ（ＳｅＮＢ）に同時に連結されることができることを意味する。ＭＣＧはＭｅＮＢと関連するサービングセルのグループであって、ＰＣｅｌｌに加えて選択的に一つ以上のＳＣｅｌｌを含む。またＳＣＧはＳｅＮＢと関連するサービングセルのグループであって、特別（ｓｐｅｃｉａｌ）ＳＣｅｌｌに加えて選択的に一つ以上のＳＣｅｌｌを含む。ＭｅＮＢは少なくともＳ１−ＭＭＥ（制御平面のためのＳ１）を縦断するｅＮＢであり、ＳｅＮＢはＭｅＮＢではないが、端末のための付加的な無線リソースを提供するｅＮＢである。
【００５８】
二重連結性は端末に複数のサービングセルが設定されるという点で搬送波集成の一種である。ただ、図８の搬送波集成の場合、全てのサービングセルが同じｅＮＢによってサーブされるが、図１０の二重連結の場合、全てのサービングセルは同時にそれぞれ互いに異なるｅＮＢによってサーブされる。端末が互いに異なるｅＮＢに同時に連結されているから、互いに異なるｅＮＢは非理想的（ｎｏｎ−ｉｄｅａｌ）バックホールインターフェースを介して連結されている。
【００５９】
二重連結性によって、ハンドオーバー（ｈａｎｄｏｖｅｒ）可能性を低めるためにＭＣＧ内のスケジューリング無線ベアラー（Ｓｃｈｅｄｕｌｉｎｇ  Ｒａｄｉｏ  Ｂｅａｒｅｒ、ＳＲＢ）又は他のＤＲＢを維持するとともに高処理量を提供するために、一部のデータ無線ベアラー（Ｄａｔａ  Ｒａｄｉｏ  Ｂｅａｒｅｒ、ＤＲＢ）はＳＣＧにオフロード（ｏｆｆｌｏａｄ）されることができる。ＭＣＧは周波数ｆ１を介してＭｅＮＢによって作動し、ＳＣＧは周波数ｆ２を介してＳｅＮＢによって作動する。周波数ｆ１及びｆ２は同一であり得る。ＭｅＮＢとＳｅＮＢの間のバックホール（ｂａｃｋｈａｕｌ）インターフェースは（例えば、Ｘ２インターフェース）、バックホールに相当な遅延があって一つのノードでの中央化したスケジューリングができないため、非理想的である。
【００６０】
図８ａは特定端末に対する二重連結性に関与する基地局の制御平面（Ｃｏｎｔｒｏｌ  Ｐｌａｎｅ、Ｃ−Ｐｌａｎｅ）連結性を示す。ＭｅＮＢはＳ１−ＭＭＥに連結された制御平面であり、ＭｅＮＢとＳｅＮＢはＸ２−Ｃ（Ｘ２−制御平面）を介して互いに連結される。図８ａのように、二重連結性のための基地局間（Ｉｎｔｅｒ−ｅＮＢ）制御平面シグナリングがＸ２インターフェースシグナリングによって遂行される。ＭＭＥへの制御平面シグナリングはＳ１インターフェースシグナリングによって遂行される。ＭｅＮＢとＭＭＥの間に端末当たりただ一つのＳ１−ＭＭＥ連結が存在する。それぞれの基地局は、例えばＳＣＧに対するＳＣｅｌｌ（Ｓｅｃｏｎｄａｒｙ  Ｃｅｌｌ）を他の端末に提供する間に一部の端末にはＰＣｅｌｌ（Ｐｒｉｍａｒｙ  Ｃｅｌｌ）を提供することのように、端末を独立的に取り扱わなければならない。特定の端末に対する二重連結性に関連するそれぞれの基地局は自分の無線リソースを有し、自分のセルの無線リソースを割り当てること及びＸ２インターフェースシグナリングによって行われるＭｅＮＢとＳｅＮＢ間のそれぞれの調整に対して主に責任がある。
【００６１】
図８ｂは特定端末に対する二重連結性に関連する基地局の使用者平面（Ｕｓｅｒ  Ｐｌａｎｅ、Ｕ−Ｐｌａｎｅ）連結性を示す。使用者平面連結性は次のようにベアラーオプション設定による：ｉ）ＭＣＧベアラーにおいて、ＭｅＮＢはＳ１−Ｕを介してＳ−ＧＷに使用者平面連結され、ｉｉ）分割ベアラーにおいて、ＭｅＮＢはＳ１−Ｕを介してＳ−ＧＷに使用者平面連結され、さらにＭｅＮＢとＳｅＮＢはＸ２−Ｕを介して互いに連結され、ｉｉｉ）ＳＣＧベアラーにおいて、ＳｅＮＢはＳ１−Ｕを介してＳ−ＧＷと直接連結される。ＭＣＧ及び分離ベアラーのみが設定された場合、ＳｅＮＢにはＳ１−Ｕ縦断が存在しない。二重連結性において、マクロセルのグループからスモールセルのグループへのデータオフロード（ｏｆｆｌｏａｄ）のためにスモールセルの改善が要求される。スモールセルはマクロセルから離れて配置されることができるため、端末の観点で複数のスケジューラが互いに異なるノードに分離されて位置し、独立的に動作する。これは、異なったスケジューリングノードが異なった無線リソース環境と出会うことを意味し、それぞれのスケジューリングノードが異なったスケジューリング結果を有することができることを意味する。
【００６２】
図９は二重連結性のための無線プロトコル構造の概念図である。
【００６３】
本実施例のＥ−ＵＴＲＡＮは、Ｘ２インターフェース上の非理想的バックホール（ｂａｃｋｈａｕｌ）を介して連結された２個の基地局に位置し、２個の別個のスケジューラ（ｓｃｈｅｄｕｌｅｒ）によって提供された無線リソースを活用するように構成されたＲＲＣ連結（ＲＲＣ＿ＣＯＮＮＥＣＴＥＤ）状態の複数の受信／送信（Ｒｘ／Ｔｘ）端末によって二重連結性（Ｄｕａｌ  ｃｏｎｎｅｃｔｉｖｉｔｙ、ＤＣ）動作を支援することができる。特定の端末に対する二重連結性に関連する基地局は２種の異なった役目を取ることもできる：基地局はＭｅＮＢ又はＳｅＮＢとして行動することもできる。二重連結性において、端末は一つのＭｅＮＢ及び一つのＳｅＮＢに連結されることができる。
【００６４】
二重連結性（ＤＣ）動作において、特定のベアラー（ｂｅａｒｅｒ）が用いる無線プロトコル構造はベアラーがどのように設定されたかによる。三つの代案として、ＭＣＧ（Ｍａｓｔｅｒ  Ｃｅｌｌ  Ｇｒｏｕｐ）ベアラー９０１、分割ベアラー（ｓｐｌｉｔ  ｂｅａｒｅｒ）９０３及びＳＣＧ（Ｓｅｃｏｎｄａｒｙ  Ｃｅｌｌ  Ｇｒｏｕｐ）ベアラー９０５が存在する。三つの代案は図９に図示されている。ＳＲＢ（Ｓｉｇｎａｌｉｎｇ  Ｒａｄｉｏ  Ｂｅａｒｅｒ）はいつもＭＣＧベアラーでなり、ＭｅＮＢによって提供される無線リソースのみを用いる。ＭＣＧ（Ｍａｓｔｅｒ  Ｃｅｌｌ  Ｇｒｏｕｐ）ベアラー９０１は二重連結性でのみＭｅＮＢリソースを用いるためにＭｅＮＢにのみ位置する無線プロトコルである。また、ＳＣＧ（Ｓｅｃｏｎｄａｒｙ  Ｃｅｌｌ  Ｇｒｏｕｐ）ベアラー９０５は二重連結性でＳｅＮＢリソースを用いるためにＳｅＮＢにのみ位置する無線プロトコルである。
【００６５】
特に、分割（ｓｐｌｉｔ）ベアラー９０３は二重連結性でＭｅＮＢ及びＳｅＮＢリソースの両者を用いるためにＭｅＮＢ及びＳｅＮＢの両者に位置する無線プロトコルであり、分割ベアラー８０３は一方向（ｄｉｒｅｃｔｉｏｎ）に対する単一ＰＤＣＰ（Ｐａｃｋｅｔ  Ｄａｔａ  Ｃｏｎｖｅｒｇｅｎｃｅ  Ｐｒｏｔｏｃｏｌ）エンティティ、２個のＲＬＣ（Ｒａｄｉｏ  Ｌｉｎｋ  Ｃｏｎｔｒｏｌ）エンティティ及び２個のＭＡＣ（Ｍｅｄｉｕｍ  Ａｃｃｅｓｓ  Ｃｏｎｔｒｏｌ）エンティティを含む無線ベアラーであり得る。特に、二重連結性動作はＳｅＮＢによって提供された無線リソースを用いるように設定された少なくとも一つのベアラーを有するものとしても説明されることができる。
【００６６】
予想される分割ベアラー９０３の利点は次のようである。ｉ）ＳｅＮＢの移動性（ｍｏｂｉｌｉｔｙ）がＣＮに隠され、ｉｉ）ＭｅＮＢでのみ要求される暗号化（ｃｉｐｈｅｒｉｎｇ）の保安に影響がなく、ｉｉｉ）ＳｅＮＢ転換に要求されるＳｅＮＢの間のデータ伝達（ｆｏｒｗａｒｄｉｎｇ）が不要であり、ｉｖ）ＭｅＮＢからＳｅＮＢへのＳｅＮＢトラフィックのＲＬＣプロセッシングが除去され、ｖ）ＲＬＣに及ぶ影響がほとんどなく、ｖｉ）同じベアラーに対してＭｅＭＢとＳｅＮＢで無線リソースを用いることができ、ｖｉｉ）ＳｅＮＢ移動性に対する要求条件が緩和される（ＭｅＮＢを用いることができる）。
【００６７】
予想される分割ベアラー９０３の欠点は次のようである。ｉ）ＭｅＮＢで全ての二重連結性トラフィックを探して処理及び記憶しなければならなく、ｉｉ）ＰＤＣＰエンティティがＰＤＣＰ  ＰＤＵの送信のためにＭｅＮＢへの経路を探し、受信のために記憶しなければならなく、ｉｉｉ）ＭｅＮＢとＳｅＮＢの間に流れ制御（ｆｌｏｗ  ｃｏｎｔｒｏｌ）が必要であり、ｉｖ）上りリンクで、ＲＬＣ再伝送及びＲＬＣ状態ＰＤＵ（対応ＲＬＣエンティティが存在するｅＮＢに制限される）の処理に論理チャネル優先順位が影響を及ぼし、ｖ）二重連結ＵＥに対して、ローカルブレイクアウト（ｌｏｃａｌ  ｂｒｅａｋ−ｏｕｔ）及びＳｅＮＢに記憶されるコンテンツを支援しない。
【００６８】
二重連結性において、ＭＣＧとＳＣＧのための二つのＭＡＣエンティティがＵＥに設定される。それぞれのＭＡＣエンティティはＲＲＣによって構成され、サービングセルはＰＵＣＣＨ伝送及び競争に基づくランダムアクセスを支援する。ＳｐＣｅｌｌはこのようなセルを意味し、ＳＣｅｌｌは他のサービングセルを意味する。また、ＳｐＣｅｌｌはＭＡＣエンティティのＭＣＧ又はＳＣＧとの関連有無によってＭＣＧのＰＣｅｌｌ又はＳＣＧのＰＳＣｅｌｌ（Ｐｒｉｍａｒｙ  Ｓｅｃｏｎｄａｒｙ  Ｃｅｌｌ）を意味する。ＭＡＣエンティティのＳｐＣｅｌｌを含むタイミングアドバンスグループ（Ｔｉｍｉｎｇ  Ａｄｖａｎｃｅ  Ｇｒｏｕｐ）をｐＴＡＧといい、ｓＴＡＧは他のＴＡＧを意味する。
【００６９】
ＵＥにおける互いに異なるＭＡＣエンティティの機能は別に指示されない限り、独立的に動作する。それぞれのＭＡＣエンティティに使われるタイマーとパラメーターは他に指示されない限り、独立的に設定される。それぞれのＭＡＣエンティティによって考慮されるサービングセル、Ｃ−ＲＮＴＩ、無線ベアラー、論理チャネル、上部及び下部レイヤーエンティティ、ＬＣＧ及びＨＡＲＱエンティティは他に指示されない限り、当該ＭＡＣエンティティにマッピングされるサービングセル、Ｃ−ＲＮＴＩ、無線ベアラー、論理チャネル、上部及び下部レイヤーエンティティ、ＬＣＧ及びＨＡＲＱエンティティを意味する。
【００７０】
図１０は下りリンクに対するＬＴＥプロトコル構造の概略図である。
【００７１】
図１０に下りリンクに対するＬＴＥプロトコル構造の概略図が示されている。また、輸送（ｔｒａｎｓｐｏｒｔ）フォーマット選択及び多重アンテナ送信に関連する違いがあるが、上りリンク送信に関連するＬＴＥプロトコル構造は図９に示した下りリンクに対するＬＴＥプロトコル構造と類似している。
【００７２】
下りリンクで送信されるデータはＳＡＥベアラー（ｂｅａｒｅｒ）１００１の一つ上のＩＰパケットフォーマットに進入する、無線インターフェース上の送信に先立ち、インカミング（ｉｎｃｏｍｉｎｇ）ＩＰパケットは、以下に要約されて次の節でもっと具体的に説明される多重プロトコルエンティティを介して通過される：
＊ＰＤＣＰ（Ｐａｃｋｅｔ  Ｄａｔａ  Ｃｏｎｖｅｒｇｅｎｃｅ  Ｐｒｏｔｏｃｏｌ）１００３は、無線インターフェース上での送信に必要なビットの数を減らすために、ＩＰヘッダー圧縮を遂行する。ヘッダー圧縮メカニズムは、ＷＣＤＭＡ（登録商標）だけでなく他の一部の移動通信標準に用いられる標準ヘッダー圧縮アルゴリズムであるＲＯＨＣに基づく。また、ＰＤＣＰ  １００３は送信データの暗号化（ｃｉｐｈｅｒｉｎｇ）と完全性保護（ｉｎｔｅｇｒｉｔｙ  ｐｒｏｔｅｃｔｉｏｎ）に関与している。受信側で、ＰＤＣＰプロトコルは対応暗号解読（ｄｅｃｉｐｈｅｒｉｎｇ）及び圧縮解除（ｄｅｃｏｍｐｒｅｓｓｉｏｎ）動作を遂行する。移動端末に設定された無線ベアラー当たり一つのＰＤＣＰエンティティが存在する。
【００７３】
＊ＲＬＣ（Ｒａｄｉｏ  Ｌｉｎｋ  Ｃｏｎｔｒｏｌ）１００５は分割（ｓｅｇｍｅｎｔａｔｉｏｎ）／連結（ｃｏｎｃａｔｅｎａｔｉｏｎ）、再送信処理、及び上位階層への順次伝達（ｉｎ−ｓｅｑｕｅｎｃｅ  ｄｅｌｉｖｅｒｙ）に責任がある。ＷＣＤＭＡ（登録商標）とは違い、ＬＴＥ無線−接続−ネットワーク構造でノードの単一類型のみあるため、ＲＬＣプロトコルはｅＮＢ（ｅＮｏｄｅＢ）に位置する。ＲＬＣ  ９０５は無線ベアラーの形態としてサービスをＰＤＣＰ１００３に提供する。端末に対して設定された無線ベアラー当たり一つのＲＬＣエンティティが存在する。
【００７４】
端末に設定されるそれぞれの論理チャネルに対して一つのＲＬＣエンティティが存在し、それぞれのＲＬＣエンティティは、ｉ）ＲＬＣ  ＳＤＵの分割（ｓｅｇｍｅｎｔａｔｉｏｎ）、連結（ｃｏｎｃａｔｅｎａｔｉｏｎ）及び再組立（ｒｅａｓｓｅｍｂｌｙ）、ｉｉ）ＲＬＣ再伝送、ｉｉｉ）当該論理チャネルに対する順次（ｉｎ−ｓｅｑｕｅｎｃｅ）伝達及び複製検出を担当する。
【００７５】
その他の著しいＲＬＣの特徴は、（１）変化するＰＣＵ大きさの処理、（２）ｈｙｂｒｉｄ−ＡＲＱとＲＬＣプロトコル間の密接な相互作用の可能性である。最後に、論理チャネル当たり一つのＲＬＣエンティティ、コンポーネント搬送波当たり一つのｈｙｂｒｉｄ−ＡＲＱが存在するというのは、搬送波集成の場合、一つのＲＬＣエンティティが多数のｈｙｂｒｉｄ−ＡＲＱエンティティと相互作用することもできることを意味する。
【００７６】
分割及び連結メカニズムの目的は、受信されるＲＬＣ  ＳＤＵから適切な大きさを有するＲＬＣ  ＰＤＵを生成することである。一つの可能な方法は、妥協の可能な固定されたＰＤＵ大きさを定義することである。この大きさがあまり大きくなれば、最小データ速度を支援することができない。したがって、一部のシナリオにおいては過度なパディング（ｐａｄｄｉｎｇ）が要求されることができる。しかし、一つの小さなＰＤＵ大きさはそれぞれのＰＤＵに含まれるヘッダーに大きなオーバーヘッドをもたらすことができる。ＬＴＥが支援するデータ速度の非常に大きなダイナミックレンジにおいて特に問題になるこのような欠点を避けるために、ＲＬＣ  ＰＤＵ大きさを動的に変化させる。
【００７７】
ＲＬＣ  ＳＤＵをＲＬＣ  ＰＤＵに扮する及び連結する過程において、ヘッダーは、他のフィールドの中で、リオーダリング（ｒｅｏｒｄｅｒｉｎｇ）及び再伝送メカニズムに用いられるシーケンスナンバーを含む。受信側の再組立機能（ｒｅａｓｓｅｍｂｌｙ  ｆｕｎｃｔｉｏｎ）は逆動作を行って、受信されたＰＤＵからＳＤＵを再組立する。
【００７８】
＊ＭＡＣ（Ｍｅｄｉｕｍ  Ａｃｃｅｓｓ  Ｃｏｎｔｒｏｌ）１００７はハイブリッド−ＡＲＱ再送信と上りリンク及び下りリンクスケジューリングを取り扱う。スケジューリング機能は、上りリンクと下りリンクの両者に対し、セル当たり一つのＭＡＣエンティティを有するｅＮＢ内に位置する。ハイブリッド−ＡＲＱプロトコル部はＭＡＣプロトコルの送信端及び受信端の両者に存在する。ＭＡＣ１００７は、論理チャネル１００９の形態としてサービスをＲＬＣ  １００５に提供する。
【００７９】
＊物理階層（Ｐｈｙｓｉｃａｌ  Ｌａｙｅｒ、ＰＨＹ）１０１１は符号化／復号化、変調／復調、多重アンテナマッピング、及び他の通常的物理階層機能を取り扱う。物理階層１０１１は輸送チャネル１０１３の形態としてＭＡＣレイヤー１００７にサービスを提供する。
【００８０】
図１１はバッファー状態及びパワーヘッドルーム（ｐｏｗｅｒ−ｈｅａｄｒｏｏｍ）報告のシグナリングに対する図である。
【００８１】
スケジューラは、適量の上りリンクリソースを割り当てるために、端末から伝送されるべきデータ量の情報を知っていなければならない。当然、伝送すべきデータがない端末には上りリンクリソースを与える必要がない。このような端末にリソースを与えれば、端末はパディングを用いて承認のリソースを満たす結果をもたらす。したがって、少なくともスケジューラは端末が送信すべきデータを持っており、よってスケジューリング承認が与えられなければならないかを知っていなければならない。これはスケジューリング要請（ｓｃｈｅｄｕｌｉｎｇ  ｒｅｑｕｅｓｔ、ＳＲ）を介して知られる。
【００８２】
スケジューリング要請に１ビットを使うことは上りリンクオーバーヘッドを減らすためである。スケジューリング要請に多くのビットを使えば、当たり前オーバーヘッドが増加する。１ビットのスケジューリング要請を使うことにより、スケジューリング要請を受信したとき、ｅＮＢには端末のバッファー状態についての制限的な情報のみ知られることになる。互いに異なるスケジューラの具現にこれを異に取り扱うことができる。一つ方法は、端末が電力によって制限されることなしで割り当てられたリソースを効果的に使うように少量のリソースを割り当てることである。端末が一旦ＵＬ−ＳＣＨ上に伝送し始めると、バッファーの状態及びパワーヘッドルームに関連したより詳細な情報が以後にもっと論議されるインバンド（ｉｎｂａｎｄ）ＭＡＣ制御メッセージを介して提供されることができる。
【００８３】
既に有効な承認を持っている端末は当たり前上りリンクリソースを要請する必要がない。しかし、スケジューラが今後のサブフレームで各端末にどのくらいのリソースを付与するかを決定するためには、前述したように、バッファー状態又は可用電力についての情報が役立つ。このような情報はＭＡＣ制御要素（ＭＡＣ  ｃｏｎｔｒｏｌ  ｅｌｅｍｅｎｔ）を介してＵＬ−ＳＣＨ伝送一部としてスケジューラに送信される。ＭＡＣサブヘッダーの一つ内のＬＣＩＤフィールドは、図１１に示したように、バッファー状態報告の存在を示す留保（ｒｅｓｅｒｖｅｄ）値に設定される。
【００８４】
特に、変調及びコーディング方式と端末の電力制限をもたらさないリソース大きさ（Ｍ）の組合せを選択するのにスケジューラを支援するため、端末は電力使用におけるパワーヘッドルーム報告を提供するように構成できる。それぞれのコンポーネント搬送波に対して別個の伝送パワー制限が存在する。したがって、パワーヘッドルームはそれぞれのコンポーネント搬送波に対して別個に測定されて報告されなければならない。
【００８５】
ＬＴＥリリース１０のために、タイプ１及びタイプ２の二つのパワーヘッドルーム報告タイプが定義される。タイプ１報告は返送波上のＰＵＳＣＨ伝送のみを仮定するパワーヘッドルームを反映するが、タイプ２報告はＰＵＳＣＨとＰＵＣＣＨ伝送の組合せを仮定する。
【００８６】
特定のサブフレームに対して有効であり、端末がこのサブフレームでＰＵＳＣＨを送信するようにスケジューリングされたと仮定するタイプ１パワーヘッドルームは次の式として与えられる。
【００８７】
【数１】
0006283121.tif 000002
【００８８】
ここで、ＭとΔＭＣＳの値はパワーヘッドルーム報告に相応するサブフレームで使われるリソース割当て及び変調及びコーディング方式に対応する。パワーヘッドルームはそれぞれの搬送波に対する最大伝送電力と実際の搬送波伝送電力間の差ではなく、ＰＣＭＡＸ、ｃと伝送電力に上限がないという仮定の下で使われる伝送電力間の差であることが分かる。したがって、パワーヘッドルームは負の値となることができる。より正確に、ネガティブパワーヘッドルームはそれぞれの搬送波に対する伝送電力がパワーヘッドルーム報告時のＰＣＭＡＸ、ｃによって制限されたことを示す。ネットワークはパワーヘッドルーム報告に相応するサブフレームで端末が送信のために用いる変調及びコーディング方式とリソース大きさを知っているので、下りリンク経路損失（ｐａｔｈ  ｌｏｓｓ）（ＰＬＤＬ）とδが実質的に変化しないと仮定し、有効な変調及びコーディング方式とリソース大きさ（Ｍ）の組合せを決定することができる。
【００８９】
また、タイプ１パワーヘッドルームはＰＵＳＣＨが実際に送信されないサブフレームに対して報告されることができる。この場合、前記式で、１０・ｌｏｇ１０（Ｍ）及びΔＭＣＳは０に設定される。
【００９０】
【数２】
0006283121.tif 000003
【００９１】
この式は可能な最小リソース割当て（Ｍ＝１）とΔＭＣＳ＝０ｄＢに関連した変調及びコーディング方式に相当する基本（ｄｅｆａｕｌｔ）伝送構成を仮定したパワーヘッドルームを示すものとして見なすことができる。
【００９２】
同様に、タイプ２パワーヘッドルーム報告はそれぞれの搬送波に対する最大伝送電力とＰＵＳＣＨ及びＰＵＣＣＨ伝送電力の和との間の差に定義され、ＰＵＳＣＨ及びＰＵＣＣＨ伝送電力の計算の際、それぞれの搬送波に対する最大パワーを考慮しない。
【００９３】
タイプ１パワーヘッドルーム報告と同様に、タイプ２パワーヘッドルームはＰＵＳＣＨ及び／又はＰＵＣＣＨが送信されないサブフレームに対して報告されることができる。仮想のＰＵＳＣＨ及び／又はＰＵＣＣＨ伝送電力を計算する場合、ＰＵＳＣＨに対して最小リソース割当て（Ｍ＝１）及びΔＭＣＳ＝０ｄＢに仮定し、ＰＵＣＣＨに対してΔＦｏｒｍａｔ＝０に仮定する。
【００９４】
上りリンクにおいて、パワー有効性（ｐｏｗｅｒ  ａｖａｉｌａｂｉｌｉｔｙ）又はパワーヘッドルームはＵＬ−ＳＣＨ伝送に対する名目最大出力パワー（ｎｏｍｉｎａｌ  ｍａｘｉｍｕｍ  ｏｕｔｐｕｔ  ｐｏｗｅｒ）と推定される出力パワーの間の差に定義される。この値は負の値のみならず正の値（ｄＢ）であることができ、負の値はネットワークが現在パワー有効性が与えられたときに端末が支援することができるものより高いデータ速度をスケジューリングしたものを示すことができる。パワーヘッドルームは電力−制御メカニズムに依存することにより、システムでの干渉と基地局までの距離のような要素に間接的に依存する。
【００９５】
パワーヘッドルームについての情報はバッファー状態報告と同様な方式で端末から基地局にフィードバックされる。すなわち、端末がＵＬ−ＳＣＨ上に送信するようにスケジューリングされた場合にのみフィードバックされる。タイプ１報告は全てのコンポーネント搬送波に同時に提供される反面、タイプ２報告はプライマリーコンポーネント搬送波にのみ提供される。
【００９６】
ＰＨＲトリガーイベントはＭＡＣエンティティに対して次のように定義される。
【００９７】
−イベント１：ＵＥが新たな送信のためのＵＬリソースを有するとき、最後のＰＨＲ伝送以後に経路損失の基準として用いられる少なくとも一つの活性化したサービングセルに対してｐｒｏｈｉｂｉｔＰＨＲ−タイマーが終了し、経路損失がｄｌ−ＰａｔｈｌｏｓｓＣｈａｎｇｅ  ｄＢ以上に変化する。
【００９８】
―イベント２：ｐｅｒｉｏｄｉｃＰＨＲ−タイマーが終了する。
【００９９】
−イベント３：上位レイヤーによってパワーヘッドルーム報告機能が設定されるか再設定される場合に発生し、機能を非活性化するのに使われない。
【０１００】
−イベント４：上りリンクが設定されるＳＣｅｌｌの活性化
−イベント５：ＵＥが新たな送信のためのＵＬリソースを有するとき、ｐｒｏｈｉｂｉｔＰＨＲ−タイマーが終了し、上りリンクが設定される活性化サービングセルに対するＴＴＩの間に次のような事項は“Ｔｒｕｅ”である。伝送のために割り当てられたＵＬリソースが存在するか、該当のセル上でＰＵＣＣＨ伝送が遂行され、該当のセルに対する電力管理（Ｐ−ＭＰＲｃによって許される）によって要求されるパワーバックオフはＵＥが該当のセル上での伝送又はＰＵＣＣＨ伝送のために割り当てられたＵＬリソースを有するとき、最後のＰＨＲ伝送以後のｄｌ−ＰａｔｈｌｏｓｓＣｈａｎｇｅ  ｄＢ以上に変化する。
【０１０１】
図１２はＰＨＲ  ＭＡＣ  ＣＥ（Ｐｏｗｅｒ  Ｈｅａｄｒｏｏｍ  Ｒｅｐｏｒｔｉｎｇ  ＭＡＣ  Ｃｏｎｔｒｏｌ  ＣＥ）に対する概念図である。
【０１０２】
パワーヘッドルームＭＡＣ制御要素は、表１に示したように、ＬＣＩＤを有するＭＡＣ  ＰＤＵサブヘッダーによって識別され、固定大きさを有し、表２に示したように、一つのオクテット（ｏｃｔｅｔ）でなる。
【０１０３】
【表１】
0006283121.tif 000004
【０１０４】
【表２】
0006283121.tif 000005
【０１０５】
Ｒフィールド１２０１は予備ビット（ｒｅｓｅｒｖｅｄ  ｂｉｔ）であり、“０”に設定される。ＰＨフィールド１２０３はパワーヘッドルームレベルを示す。ＰＨフィールド１２０３の長さは６ビットである。報告されるＰＨ及び該当のパワーヘッドルームレベルは表２に示した通りである。
【０１０６】
図１３は拡張されたＰＨＲ  ＭＡＣ  ＣＥに対する概念図である。
【０１０７】
拡張されたＰＨＲ  ＭＡＣ  ＣＥは、表１に示したように、ＬＣＩＤを有するＭＡＣ  ＰＤＵサブヘッダーによって識別され、固定大きさを有し、図１２に示したように定義される。タイプ２ＰＨが報告されれば、タイプ２ＰＨフィールドを有するオクテットがそれぞれのＳＣｅｌｌに対するＰＨの存在を示すオクテット以後に初めて提供され、引き続いて関連のＰＣＭＡＸ、ｃフィールド（報告される場合）を含むオクテットが備えられる。その後、ビットマップに表示されるＰＣｅｌｌとそれぞれのＳＣｅｌｌに対し、サービングセルインデックスに基づいて昇順にタイプ１ＰＨフィールドを有するオクテットに関連したＰＣＭＡＸ、ｃフィールド（報告される場合）を含むオクテットが提供される。
【０１０８】
前記拡張されたＰＨＲ  ＭＡＣ  ＣＥは次のように定義される。
【０１０９】
“Ｃｉ”フィールド１３０１はインデックスｉを有するＳＣｅｌｌに対するＰＨフィールドの存在を示す。Ｃｉフィールドは“１”に設定される場合、インデックスｉを有するＳＣｅｌｌに対するＰＨフィールドが報告されることを示す。Ｃｉフィールドは“０”に設定される場合、インデックスｉを有するＳＣｅｌｌに対するＰＨフィールドが報告されないことを示す。
【０１１０】
“Ｒ”フィールド１３０３は予備ビットであり、“０”に設定される。
【０１１１】
“Ｖ”フィールド１３０５はＰＨ値が実際伝送に基づくかあるいは参照フォーマットに基づくかを示す。タイプ１に対し、Ｖ＝０はＰＵＳＣＨを介した実際伝送を示し、Ｖ＝１はＰＵＳＣＨ参照フォーマットが用いられることを示す。タイプ２に対し、Ｖ＝０はＰＵＣＣＨを介した実際伝送を示し、Ｖ＝１はＰＵＣＣＨ参照フォーマットが用いられることを示す。また、タイプ１及びタイプ２の両者に対し、Ｖ＝０は関連のＰＣＭＡＸ、ｃフィールドを含むオクテットの存在を示し、Ｖ＝１は関連のＰＣＭＡＸ、ｃフィールドを含むオクテットが省略されることを示す。
【０１１２】
“ＰＨ”フィールド１３０７はパワーヘッドルームレベルを示す。このフィールドの長さは６ビットである。報告されるＰＨ及び該当のパワーヘッドルームレベルは表２に示した通りである。
【０１１３】
“Ｐ”フィールド１３０９はＵＥがＰ−ＭＰＲｃが許すような電力管理によるパワーバックオフを印加するかを示す。該当の電力管理によるパワーバックオフが印加されない場合、ＰＣＭＡＸ、ｃフィールドが他の値を有すれば、ＵＥはＰ＝１に設定する。
【０１１４】
“ＰＣＭＡＸ、ｃ”フィールド１３１１は、存在する場合、以前ＰＨフィールドの計算のために用いられるＰＣＭＡＸ、ｃ又は
【０１１５】
【数３】
0006283121.tif 000006
【０１１６】
を示す。報告されるＰＣＭＡＸ、ｃ及びこれに相当する名目ＵＥ伝送電力レベルを表３に示した。
【０１１７】
ＵＥがＴＴＩの間の新たな送信のために割り当てられたＵＬリソースを有し、ＰＵＣＣＨ−ＰＵＳＣＨ同時送信のために設定される場合、前記拡張されたＰＨＲ  ＭＡＣ  ＣＥはＴＴＩ内でのＰＨフィールドにおける前記セルに対するタイプ２パワーヘッドルーム値を含む。この場合、ＵＥがＴＴＩ内でのＰＵＣＣＨ伝送を行えば、前記拡張されたＰＨＲ  ＭＡＣ  ＣＥは物理層（ｐｈｙｓｉｃａｌ  ｌａｙｅｒ）からの該当のＰＣＭＡＸ、ｃフィールドの値を含む。
【０１１８】
【表３】
0006283121.tif 000007
【０１１９】
ＵＥは、割り当てられたリソースがＵＥの最大伝送電力でＵＥが支援することができるリソースの量を超えない限り、基地局がリソースをもっとＵＥに割り当てるようにするために、ＰＨ情報を基地局に報告する。より詳細に、ＵＥはＭＡＣシグナリング、つまりＰＨＲ  ＭＡＣ  ＣＥを用いてＵＥに設定された全ての活性化したサービングセルを基地局に報告する。ＵＥがセルのＰＨ情報を前記基地局に報告すると、基地局はＵＥのパワーヘッドルームだけでなくスケジューリング情報を知っているので、ＵＥの正確なパワー状態を評価することができる。
【０１２０】
二重連結性において、ＵＥは一つ以上の基地局に連結されてスケジューリングされるので、ＵＥはそれぞれの基地局に相当する別個のＭＡＣエンティティを有する。したがって、ＰＨＲ動作はＰＨＲ構成、ＰＨＲトリガリング、ＰＨＲ伝送の面で再び考慮される。
【０１２１】
１）ＰＨＲ構成：それぞれの基地局が互いに異なる無線環境とスケジューリング政策を有するので、ＰＨＲ動作はそれぞれのＭＡＣエンティティに対するｐｅｒｉｏｄｉｃＰＨＲ−タイマー、ｐｒｏｈｉｂｉｔＰＨＲ−タイマー、ｄｌ−ＰａｔｈｌｏｓｓＣｈａｎｇｅのようなＰＨＲパラメーターを設定することによって独立的に遂行される。
【０１２２】
２）ＰＨＲ伝送：二重連結性において、一般に、実時間で非理想的なＸ２バックホールを介して相異なる基地局間のスケジューリング情報は交換することができないと仮定する。ＰＨ情報はスケジューリング情報なしで正確に理解するか解釈することができないため、他の基地局の最近のスケジューリング情報なしには他の基地局の制御下のサービングセルのＰＨ情報はあまり有用でないことができる。しかし、上りリンクでＵＥは制限されたパワーを有するので、他の基地局のサービングセルのＰＨ情報はＵＥのパワー状態に対する情報も提供する限り、有用なものと見なされる。したがって、二重連結性において、一つの基地局にＰＨを報告するとき、全ての活性化したサービングセルのＰＨ情報はＰＨＲ  ＭＡＣ  ＣＥに含まれる。
【０１２３】
３）ＰＨＲトリガリング：現在、ＰＨＲは前述したように５個のイベントによってトリガリングされる。ＰＨＲそのものをオーバーヘッドと見なすことができるため、ＰＨＲは無駄に送信されてはいけない。したがって、ＰＨＲトリガーイベントが発生するサービングセルが属するＭＡＣエンティティでのみＰＨＲをトリガリングすることが自然なものと見なすことができる。ＰＨＲが一つのＭＡＣエンティティでトリガリングされる場合、これはＰＨＲが他のＭＡＣエンティティでトリガリングされなければならないことを意味しない。一方、ＰＨＲが一つのＭＡＣエンティティでトリガリングされる場合、これは他の基地局のサービングセルでのパワー状態を意味することができる。
【０１２４】
図１４は本発明の実施例による二重連結システムにおけるパワーヘッドルーム報告のトリガリングに対する概念図である。
【０１２５】
少なくとも２個の基地局に連結される少なくとも２個のＭＡＣエンティティ、つまり一つの基地局に対して一つのＭＡＣエンティティが設定されたＵＥに対し、ＵＥによる過度なＰＨＲ伝送を防止するために、本発明は、一つのＭＡＣエンティティでＰＨＲトリガーイベントが発生する場合、ＰＨＲトリガーイベントのタイプによって前記ＭＡＣエンティティ又は全てのＭＡＣエンティティでＰＨＲをトリガリングする。詳細に説明すれば、ＰＨＲトリガーイベントが第１タイプに属する場合、ＰＨＲがＰＨＲトリガーイベントが発生したＭＡＣエンティティでトリガリングされる。ＰＨＲトリガーイベントが第２タイプに属する場合、ＰＨＲがＵＥに設定された全てのＭＡＣエンティティでトリガリングされる。
【０１２６】
詳細に説明すれば、ＵＥは多数のＭＡＣエンティティを設定する（Ｓ１４０１）。この際、それぞれのＭＡＣエンティティはそれぞれの基地局に対応する。
【０１２７】
多数のＭＡＣエンティティのいずれか一つのＭＡＣエンティティでＰＨＲをトリガリングするイベントが発生すれば（Ｓ１４０３）、ＵＥはＭＡＣエンティティでの前記ＰＨＲトリガリングイベントのタイプが第１タイプであるかあるいは第２タイプであるかを確認する（Ｓ１４０５）。
【０１２８】
前記イベントタイプが第１タイプである場合、前記多数のＭＡＣエンティティでＰＨＲがトリガリングされる（Ｓ１４０７）。多数のＰＨＲ  ＭＡＣ  ＣＥを生成する（Ｓ１４０９）。ここで、それぞれのＰＨＲ  ＭＡＣ  ＣＥはそれぞれのＭＡＣエンティティに対応する。前記多数のＰＨＲ  ＭＡＣ  ＣＥはそれぞれの基地局に送信される（Ｓ１４１１）。
【０１２９】
好ましくは、前記第１タイプは次のものを含む。ｉ）ＵＥが新たな送信のためのＵＬリソースを有するとき、該当の基地局への最後のＰＨＲ伝送以後に経路損失基準として用いられる少なくとも一つの活性化したサービングセルに対し、ＭＡＣエンティティのｐｒｏｈｉｂｉｔＰＨＲ−タイマーが満了し、経路損失がｄｌ−ＰａｔｈｌｏｓｓＣｈａｎｇｅ  ｄＢ以上変化する（イベント１）。ｉｉ）上りリンクが設定されたＭＡＣエンティティに属するＳＣｅｌｌが活性化される（イベント４）。ｉｉｉ）ＵＥが該当の基地局への新たな送信のためのＵＬリソースを有するとき、ＭＡＣエンティティのｐｒｏｈｉｂｉｔＰＨＲ−タイマーが満了し、上りリンクが設定されるＭＡＣエンティティに属する活性化サービングセルに対するＴＴＩの間に次のような事項は“Ｔｒｕｅ”である（イベント５）。伝送のために割り当てられたＵＬリソースが存在するかあるいは該当のセル上でＰＵＣＣＨ伝送があり、該当のセルに対する電力管理（Ｐ−ＭＰＲｃによって許される）による所要のパワーバックオフは、ＵＥが該当のセル上での伝送又はＰＵＣＣＨ伝送のために割り当てられたＵＬリソースを有するとき、該当の基地局への最後のＰＨＲ伝送以後のｄｌ−ＰａｔｈｌｏｓｓＣｈａｎｇｅ  ｄＢ以上に変化する。
【０１３０】
好ましくは、前記第１タイプはセル状態変化に関連する。
【０１３１】
好ましくは、前記第１タイプイベントはＰＳＣｅｌｌの付加をさらに含む。ＰＳＣｅｌｌもＳＣｅｌｌであるので、ＰＳＣｅｌｌの付加は上りリンクが設定されるＭＡＣエンティティに属するＳＣｅｌｌの活性化に相当する。すなわち、イベント４はＰＳＣｅｌｌが付け加えられる場合を含むことができる。ＰＳＣｅｌｌは活性化した後に付け加えられる。
【０１３２】
前記イベントタイプが第２タイプである場合、ＰＨＲはＭＡＣエンティティでトリガリングされる（Ｓ１４１３）。そして、一つのＰＨＲ  ＭＡＣ  ＣＥが前記ＭＡＣエンティティに対して生成される（Ｓ１４１５）。前記生成されたＰＨＲ  ＭＡＣ  ＣＥは該当の基地局に送信される（Ｓ１４１７）。
【０１３３】
好ましくは、前記第２タイプは次のものを含む。ｉ）ＭＡＣエンティティのｐｅｒｉｏｄｉｃＰＨＲ−タイマーが満了する（イベント２）。ｉｉ）上位レイヤーによってＭＡＣエンティティに対するパワーヘッドルーム報告機能が設定されるか再設定されるときに発生し、機能を非活性化するのに使われない（イベント３）。
【０１３４】
図１５及び図１６は本発明の実施例による第１タイプに相当するパワーヘッドルーム報告のトリガリングに対する概念図である。
【０１３５】
第１タイプの場合、ＰＨＲはＰＨＲトリガリングイベントがいずれか一つのＭＡＣエンティティで発生する場合、ＵＥに設定された全てのＭＡＣエンティティでトリガリングされる（Ｓ１４０３〜Ｓ１４０７）。
【０１３６】
したがって、ＵＥが第１ＭＡＣエンティティと第２ＭＡＣエンティティを構成する場合（Ｓ１５０１）、ＵＥは第１ＭＡＣエンティティのｐｒｏｈｉｂｉｔＰＨＲ−タイマーが満了すれば（Ｓ１５０３）、第１ＭＡＣエンティティだけでなく第２ＭＡＣエンティティでＰＨＲをトリガリングする（Ｓ１５０５）。
【０１３７】
ＵＥが第１ＭＡＣエンティティと第２ＭＡＣエンティティを構成する場合（Ｓ１６０１）、ＵＥは第１ＭＡＣエンティティに対する少なくとも一つのＳＣｅｌｌが非活性状態から活性状態に変化すれば（Ｓ１６０３）、第１ＭＡＣエンティティだけでなく第２ＭＡＣエンティティでＰＨＲをトリガリングする（Ｓ１６０５）。
【０１３８】
結論として、ＰＨＲは次のイベントが発生する場合にトリガリングされる。
【０１３９】
ｉ）ＭＡＣエンティティが新たな送信のためのＵＬリソースを有するとき、このＭＡＣエンティティでの最後のＰＨＲ伝送以後に経路損失基準として用いられる“ＭＡＣエンティティ”の少なくとも一つの活性化したサービングセルに対してｐｒｏｈｉｂｉｔＰＨＲ−タイマーが満了し、経路損失がｄｌ−ＰａｔｈｌｏｓｓＣｈａｎｇｅ  ｄＢ以上に変化する。
【０１４０】
ｉｉ）ｐｅｒｉｏｄｉｃＰＨＲ−Ｔｉｍｅｒが満了する。
【０１４１】
ｉｉｉ）上位レイヤーによるパワーヘッドルーム報告機能が設定されるか再設定されるときに発生し、機能を非活性化するのに使われないイベント。
【０１４２】
ｉｖ）上りリンクが設定された“ＭＡＣエンティティ”の活性化
ｖ）ＰＳＣｅｌｌの付加
ｖｉ）ＭＡＣエンティティが新たな送信のためのＵＬリソースを有するとき、ｐｒｏｈｉｂｉｔＰＨＲ−タイマーが満了し、上りリンクが設定される“ＭＡＣエンティティ”の活性化サービングセルに対するＴＴＩの間に次のような事項は“Ｔｒｕｅ”である。伝送のために割り当てられたＵＬリソースが存在するか該当のセル上でＰＵＣＣＨ伝送が遂行され、該当のセルに対する電力管理（Ｐ−ＭＰＲｃによって許される）による所要のパワーバックオフは、ＭＡＣエンティティが該当のセル上での伝送又はＰＵＣＣＨ伝送のために割り当てられたＵＬリソースを有するとき、最後のＰＨＲ伝送以後のｄｌ−ＰａｔｈｌｏｓｓＣｈａｎｇｅ  ｄＢ以上に変化する。
【０１４３】
ＰＨＲがＭＡＣエンティティ単位で独立的に遂行されるため、“ＭＡＣエンティティ”という条件が付け加えらればＰＨＲは独立的に遂行される。例えば、第１ＭＡＣエンティティに対するｐｅｒｉｏｄｉｃＰＨＲ−タイマーが満了すれば、ＰＨＲは第１ＭＡＣエンティティでのみトリガリングされる。また、第１ＭＡＣエンティティに対するｐｒｏｈｉｂｉｔＰＨＲ−タイマーが満了すれば、ＰＨＲは全てのＭＡＣエンティティでトリガリングされる。
【０１４４】
本発明の思想又は範囲から逸脱することなく、本発明の多様な変形と変更が可能であることは当業者にとって自明である。よって、本発明は、添付の特許請求の範囲及びその同等物の範囲内で提供される本発明の変形と変更をカバーするものと意図される。
【０１４５】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１４６】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われるか、あるいは基地局以外の他のネットワークノードによって行われることは明らかである。「ｅＮＢ」は、「固定局（ｆｉｘｅｄ  ｓｔａｔｉｏｎ）」、「ＮｏｄｅＢ」、「基地局（ＢＳ）」、アクセスポイントなどの用語に代替されてもよい。
【０１４７】
前述した実施例は、例えば、ハードウェア、ファームウェア、ソフトウェア又はこれらの組合せのような様々な手段によって具現されてもよい。
【０１４８】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１４９】
ファームウェアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１５０】
本発明は、本発明の特徴を逸脱しない範囲内で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１５１】
以上の方法は、３ＧＰＰ  ＬＴＥシステムに適用される例示を中心に説明されたが、本発明は、３ＧＰＰ  ＬＴＥシステムの他にも様々な無線通信システムに適用可能である。
【図１】
0006283121.tif 000008
【図２Ａ】
0006283121.tif 000009
【図２Ｂ】
0006283121.tif 000010
【図３】
0006283121.tif 000011
【図４】
0006283121.tif 000012
【図５】
0006283121.tif 000013
【図６】
0006283121.tif 000014
【図７】
0006283121.tif 000015
【図８】
0006283121.tif 000016
【図９】
0006283121.tif 000017
【図１０】
0006283121.tif 000018
【図１１】
0006283121.tif 000019
【図１２】
0006283121.tif 000020
【図１３】
0006283121.tif 000021
【図１４】
0006283121.tif 000022
【図１５】
0006283121.tif 000023
【図１６】
0006283121.tif 000024